【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
少なくとも第一及び第二の複数の経路を有するデバイスであって、
前記第一の複数の経路は、互いに電気的に分離して配置され、第一の補足的な関係で配向された少なくとも２つの経路を有し、
前記第二の複数の経路の少なくとも一番目の数は、該第二の複数の経路の二番目の数から電気的に分離されて配置され、
前記第二の複数の経路の少なくとも２つの経路は、前記第一の複数の経路から電気的に分離されたことを特徴とするデバイス。
【請求項２】
前記第二の複数の経路の前記一番目の数の少なくとも２つの経路は、互いに電気的に結合されて、
前記第二の複数の経路の前記二番目の数の少なくとも２つの経路は、互いに電気的に結合されたことを特徴とする請求項１に記載のデバイス。
【請求項３】
前記第二の複数の経路の前記一番目の数は、１以上の奇数であり、
前記第二の複数の経路の前記二番目の数は、１以上の奇数であり、
前記第二の複数の経路の前記一番目の数の少なくとも２つの経路は、互いに電気的に結合されて、
前記第二の複数の経路の前記二番目の数の少なくとも２つの経路は、互いに電気的に結合されたことを特徴とする請求項１に記載のデバイス。
【請求項４】
前記回路の２つの経路と少なくとも間隔を保つ間隔づけ物質をさらに有することを特徴とする請求項１に記載のデバイス。
【請求項５】
前記間隔づけ物質は、誘電体を有することを特徴とする請求項４に記載のデバイス。
【請求項６】
前記第二の複数の経路の前記一番目の数は、第一のアライメントであり、
前記第二の複数の経路の前記二番目の数は、第二のアライメントであることを特徴とする請求項１に記載のデバイス。
【請求項７】
前記第二の複数の経路の前記一番目の数は、第一の重ね合わされたアライメントであり、
前記第二の複数の経路の前記二番目の数は、第二の重ね合わされたアライメントであることを特徴とする請求項１に記載のデバイス。
【請求項８】
前記第一のアライメント及び第二のアライメントは、重ね合わされたアライメントであることを特徴とする請求項６に記載のデバイス。
【請求項９】
前記第一のアライメント及び第二のアライメントは、他方上の少なくとも一つに位置することを特徴とする請求項７に記載のデバイス。
【請求項１０】
前記経路の前記一番目の数の少なくとも２つの経路は、前記第一のアライメントで互いに電気的に結合して配置され、
前記経路の前記二番目の数の少なくとも２つの経路は、前記第二のアライメントで互いに電気的に結合して配置され、
前記経路の前記一番目の数は１以上の奇数の経路であり、前記経路の前記二番目の数は１以上の奇数の経路であり、
前記第一の複数の経路の総数は、少なくとも２以上の偶数であることを特徴とする請求項１に記載のデバイス。
【請求項１１】
前記第二の複数の経路の前記一番目の数の少なくとも２つの経路は、互いに電気的に結合された第一のアライメントで配置されて、
前記第二の複数の経路の前記二番目の数の少なくとも２つの経路は、互いに電気的に結合された第二のアライメントで配置されて、
前記第一の複数の経路の総数は、少なくとも２以上の偶数であることを特徴とする請求項１に記載のデバイス。
【請求項１２】
前記回路配置の経路と少なくとも間隔を保つ間隔づけ物質をさらに有することを特徴とする請求項１０に記載のデバイス。
【請求項１３】
前記回路配置の４つの経路は、互いに電気的に分離されることを特徴とする請求項１１に記載のデバイス。
【請求項１４】
前記第一の複数の経路は複数の遮蔽された経路であり、
前記第二の複数の経路は複数の遮蔽された経路であることを特徴とする請求項１に記載のデバイス。
【請求項１５】
少なくとも第一及び第二の複数の経路を有する電気的な配置であって、
前記第一の複数の経路は、互いに電気的に分離されて相互に補足的な位置で配置された、経路の少なくとも一つのペアを有し、
前記第二の複数の経路の少なくとも一番目の数は、該第二の複数の経路の二番目の数から電気的に分離されて配置され、前記第二の複数の経路は、前記第一の複数の経路から電気的に分離された少なくとも２つの経路を有し、
前記第二の複数の経路の一番目の数の少なくとも２つの経路は、互いに電気的に結合され、
前記第二の複数の経路の二番目の数の少なくとも２つの経路は、互いに電気的に結合されたことを特徴とする電気的な配置。
【請求項１６】
前記回路配置の経路と少なくとも間隔を保つ間隔づけ物質をさらに有することを特徴とする請求項１５に記載の電気的な配置。
【請求項１７】
前記回路配置の少なくとも４つの経路は、互いに電気的に分離されることを特徴とする請求項１５に記載の電気的な配置。
【請求項１８】
前記回路配置の少なくとも６つの経路は、互いに電気的に分離されることを特徴とする請求項１５に記載の電気的な配置。
【請求項１９】
前記第二の複数の経路は互いに共同平面で配置された少なくとも２つの経路を有し、
前記回路配置の少なくとも４つの経路は、互いに電気的に分離されることを特徴とする請求項１５に記載の電気的な配置。
【請求項２０】
前記第二の複数の経路は互いに共同平面で配置された少なくとも２つの経路を有し、
前記回路配置の少なくとも４つの経路は、互いに電気的に分離されることを特徴とする請求項１５に記載の電気的な配置。
【請求項２１】
前記第一及び第二の複数の経路は非共同平面で積層して配置され、
前記回路配置の少なくとも４つの経路は、互いに電気的に分離されることを特徴とする請求項１５に記載の電気的な配置。
【請求項２２】
前記第一の複数の経路は、複数の通過を有し、
前記第二の複数の経路は、複数の遮蔽する経路であることを特徴とする請求項１５に記載の電気的な配置。
【請求項２３】
少なくとも４つの複数の経路を有するデバイスであって、
前記複数の経路の各々のそれぞれの経路だけが互いに電気的に結合し、
前記少なくとも４つの複数の少なくとも２つは、前記経路の少なくとも４つの複数の少なくとも他の２つのための遮蔽を提供することを特徴とするデバイス。
【請求項２４】
少なくとも第一、第二、第三及び第四の複数の経路を有するデバイスであって、
前記複数の各々のそれぞれの経路だけが互いに電気的に結合され、
前記第一の複数は前記第二の複数を遮蔽し、
前記第三の複数は前記第四の複数を遮蔽することを特徴とするデバイス。
【請求項２５】
少なくとも第一及び第二の複数の遮蔽する経路と、
少なくとも第一及び第二の複数の遮蔽された経路と、を有する回路配置であって、
前記遮蔽する経路及び遮蔽された経路は、前記回路配置と交互に配置されて、
前記複数の各々のそれぞれの経路だけが互いに電気的に結合され、
前記回路配置の各々の前記複数が互いに電気的に分離されたことを特徴とする回路配置。
【請求項２６】
少なくとも一つの集積回路を有する集積回路のパッケージと、
共に伝導的に結合された複数の経路と、
共に伝導的に結合された第一の複数の遮蔽と、
共に伝導的に結合され、少なくとも前記第一の複数から電気的に分離された、第二の複数の遮蔽と、を有するシステムであって、
前記遮蔽と前記経路の各々は交互に配置され、前記遮蔽は前記集積回路から離れてエネルギーを伝播するために適切な少なくとも一つの低いインピーダンス経路を展開し、
前記経路は前記集積回路のパッケージ内でのエネルギー伝播に適切な低いインダクタンス経路を展開し、前記エネルギー伝播は少なくとも前記複数の遮蔽によって調節されることを特徴とするシステム。
【請求項２７】
前記第一及び第二の複数の遮蔽は、それぞれ実質的に共同平面の関係であることを特徴とする請求項２６に記載のシステム。
【請求項２８】
前記第一及び第二の複数の遮蔽は、それぞれ実質的に共同平面の関係であることを特徴とする請求項２６に記載のシステム。
【請求項２９】
前記第一又は第二の複数の遮蔽の一つは前記遮蔽の中心の一つを有し、前記第一及び前記第二の複数の遮蔽並びに前記経路は、該中心の一つに関して実質的に均衡がとれて補足的で対称的な配置で配置されたことを特徴とする請求項２６に記載のシステム。
【請求項３０】
前記第一又は第二の複数の遮蔽の一つは前記遮蔽の中心の一つを有し、前記第一及び前記第二の複数の遮蔽並びに前記経路は、該中心の一つに関して実質的に整列されることを特徴とする請求項２６に記載のシステム。
【請求項３１】
前記遮蔽の前記第一の複数及び前記第二の複数の各々は、奇数の遮蔽を有することを特徴とする請求項２６に記載のシステム。
【請求項３２】
デバイスが集積回路のための第一レベルの相互接続配置である請求項１乃至８又は１０乃至１２のいずれかに記載のデバイス。
【請求項３３】
デバイスが非結合のコンデンサとして配置された請求項１乃至８又は１０乃至１２のいずれかに記載のデバイス。
【請求項３４】
デバイスがバイパスコンデンサとして配置された請求項１乃至８又は１０乃至１２のいずれかに記載のデバイス。
【請求項３５】
デバイスが集積回路に結合した第一レベルの相互接続配置である請求項１乃至８又は１０乃至１２のいずれかに記載のデバイスであって、
少なくとも第一の複数が前記集積回路に電気的に結合されたことを特徴とするデバイス。
【請求項３６】
デバイスが集積回路に結合した第一レベルの相互接続配置である請求項１乃至８又は１０乃至１２のいずれかに記載のデバイスであって、
前記第一の複数は前記集積回路に電気的に結合され、
前記第二の複数は前記集積回路から電気的に分離されたことを特徴とするデバイス。
【請求項３７】
第一平面に存在する第一の電気的な伝導性の遮蔽層と、
第三平面に存在する第三の電気的な伝導性の遮蔽層と、
第五平面に存在する第五の電気的な伝導性の遮蔽層と、
前記第一平面と前記第五平面との間の前記第三平面と、
前記第一平面と前記第三平面との間の第二平面に存在する第一の電気的な伝導性の電極層と、
前記第三平面と前記第五平面との間の第四平面に存在する第三の電気的な伝導性の電極層と、
第二の電気的な伝導性の遮蔽層と、
第四の電気的な伝導性の遮蔽層と、
第六の電気的な伝導性の遮蔽層と、
第二の電気的な伝導性の電極層と、
第四の電気的な伝導性の電極層とを有するデバイスであって
前記デバイスは、前記第一の電気的な伝導性の遮蔽層、前記第三の電気的な伝導性の遮蔽層及び前記第五の電気的な伝導性の遮蔽層と互いに電気的に接続し、
前記第一の電気的な伝導性の遮蔽層、前記第三の電気的な伝導性の遮蔽層及び前記第五の電気的な伝導性の遮蔽層は積層され、前記第一の電気的な伝導性の電極層は、実質的に前記第一の電気的な伝導性の遮蔽層と前記第三の電気的な伝導性の遮蔽層との間にあり、前記第三の電気的な伝導性の電極層は、実質的に前記第三の電気的な伝導性の遮蔽層と前記第五の電気的な伝導性の遮蔽層との間にあり、
前記デバイスは、前記第二の電気的な伝導性の遮蔽層、前記第四の電気的な伝導性の遮蔽層及び前記第六の電気的な伝導性の遮蔽層と互いに電気的に接続し、
前記第二の電気的な伝導性の遮蔽層、前記第四の電気的な伝導性の遮蔽層及び前記第六の電気的な伝導性の遮蔽層は積層され、前記第二の電気的な伝導性の電極層は、実質的に前記第二の電気的な伝導性の遮蔽層と前記第四の電気的な伝導性の遮蔽層との間にあり、前記第四の電気的な伝導性の電極層は、実質的に前記第四の電気的な伝導性の遮蔽層と前記第六の電気的な伝導性の遮蔽層との間にあることを特徴とするデバイス。
【請求項３８】
前記第一の電気的な伝導性の遮蔽層及び前記第二の電気的な伝導性の遮蔽層は、第一平面に存在し、
前記第一の電気的な伝導性の電極層及び前記第二の電気的な伝導性の電極層は、前記第一平面と前記第三平面との間の第二平面に存在し、
前記第三の電気的な伝導性の遮蔽層及び前記第四の電気的な伝導性の遮蔽層は、第三平面に存在し、
前記第五の電気的な伝導性の遮蔽層及び前記第六の電気的な伝導性の遮蔽層は、第五平面に存在し、
前記第三の電気的な伝導性の電極層及び前記第四の電気的な伝導性の電極層は、前記第三平面と前記第五平面との間の第四平面に存在することを特徴とする請求項３７に記載のデバイス。
【請求項３９】
前記第一の電気的な伝導性の遮蔽層、前記第三の電気的な伝導性の遮蔽層及び前記第五の電気的な伝導性の遮蔽層は、前記第二の電気的な伝導性の遮蔽層、前記第四の電気的な伝導性の遮蔽層及び前記第六の電気的な伝導性の遮蔽層上に積層される事を特徴とする請求項３７に記載のデバイス。
【請求項４０】
前記第一の電気的な伝導性の電極層は、第一の電気的に伝導性の層の本体領域及び第一の電気的に伝導性の層のタブ領域を有し、前記第一の電気的に伝導性の層のタブ領域は前記第二平面の第一方向で前記第一の電気的に伝導性の層の本体領域から突出し、
前記第三の電気的な伝導性の電極層は、第三の電気的に伝導性の層の本体領域及び第三の電気的に伝導性の層のタブ領域を確定し、前記第三の電気的に伝導性の層のタブ領域は前記第一方向と反対の第二方向で前記第三の電気的に伝導性の層の本体領域から突出することを特徴とする請求項３９に記載のデバイス。
【請求項４１】
前記第二の電気的な伝導性の電極層は、第二の電気的に伝導性の層の本体領域及び第二の電気的に伝導性の層のタブ領域を有し、前記第二の電気的に伝導性の層のタブ領域は、前記第一方向及び前記第二方向に対して垂直な第三方向で前記第二の電気的に伝導性の層の本体領域から突出し、
前記第四の電気的な伝導性の電極層は、第四の電気的に伝導性の層の本体領域及び第四の電気的に伝導性の層のタブ領域を確定し、前記第四の電気的に伝導性の層のタブ領域は前記第三方向と反対の第四方向で前記第四の電気的に伝導性の層の本体領域から突出することを特徴とする請求項４０に記載のデバイス。
【請求項４２】
追加的な電気的に伝導性の電極層及び追加的な電気的に伝導性の遮蔽層をさらに有することを特徴とする請求項３７に記載のデバイス。
【請求項４３】
前記デバイスの２層間の電気的な伝導性の相互接続をさらに有することを特徴とする請求項３７に記載のデバイス。
【請求項４４】
前記第一の電気的な伝導性の遮蔽層に隣接する第六の電気的な伝導性の遮蔽層と、前記第五の電気的な伝導性の遮蔽層に隣接する第七の電気的な伝導性の遮蔽層とをさらに有することを特徴とする請求項３７に記載のデバイス。
【請求項４５】
１セットの電気的に伝導性の相互接続と、
前記デバイスの表面から突出する１セットのパッドをさらに有し、
前記電気的に伝導性の相互接続のセットの各々が前記パッドのセットの異なるものに接続することを特徴とする請求項３７に記載のデバイス。
【請求項４６】
前記パッドのセットの少なくとも幾つかは集積回路に接続するために設計されたことを特徴とする請求項４５に記載のデバイス。